(57)【特許請求の範囲】
【請求項１】
足踏みペダル（７）を有する容器本体（１）と、上記容器本体（１）に嵌着される蓋枠（４）と該蓋枠（４）に枢着され上記足踏みペダル（７）の操作によって開閉可能な折畳み副蓋（３）とを有する蓋（２）とを、備え、
上記蓋枠（４）は、内周面の左右両側縁（２６）に沿って、上記折畳み副蓋（３）を案内するためのガイド溝（５）を有し、該ガイド溝（５）が側面視浅皿形状に形成され、上記ガイド溝（５）の前端部近傍に、前方から後方に向うにつれて次第に下るよう傾斜する下傾状勾配部（５ａ）を有し、中間部に起伏のない底部（２７）が形成され、後端部近傍に前方から後方に向けて次第に上るよう傾斜する上傾状勾配部（５ｂ）を有し、さらに、後端部には、上記折畳み副蓋（３）を開いた状態で保持するための落穴部（２８）が形成され、
上記折畳み副蓋（３）は、枢結部（２０）を介して折畳み自在に連結された第１蓋体（２１）と第２蓋体（２２）を有し、該第１蓋体（２１）の前端部（２１ａ）近傍に、上記ガイド溝（５）に沿って移動自在に挿入されるよう左右両側方に突出するピン部（２４）を有し、
上記ガイド溝（５）は、上記折畳み副蓋（３）が開き始めた直後に、上記下傾状勾配部（５ａ）に沿って上記ピン部（２４）を後方斜め下方向に案内して該下傾状勾配部（５ａ）を滑り降りるように走行させ、上記折畳み副蓋（３）を開く際の始動負荷を軽減するように構成されていることを特徴とするごみ収納容器。
【請求項２】
上記容器本体（１）は、上記ペダル（７）の操作によって上方へ突出引込自在の昇降部材（６）を備え、かつ、上記折畳み副蓋（３）は、上記蓋枠（４）との枢着部（９）近傍にて上記昇降部材（６）による下方からの押上力（Ｆ）を受ける下方開放状凹部（８）を有している請求項１記載のごみ収納容器。
【発明の詳細な説明】
【技術分野】
【０００１】
本発明は、ごみ収納容器に関する。
【背景技術】
【０００２】
従来、容器本体の開口部を開閉するように取着された揺動自在の蓋を、ペダルを足で踏むことで操作するごみ収納容器が知られている（特許文献１参照）。
【先行技術文献】
【特許文献】
【０００３】
【特許文献１】特開２００７−３１４２１２号公報
【発明の概要】
【発明が解決しようとする課題】
【０００４】
しかし、特許文献１記載のごみ収納容器は、蓋が一枚の板状である為、蓋を開いた時の高さ寸法が大きくなり、例えば、台所の棚下などの小さなスペースでは、容器本体の上方に蓋の長さ分だけの高さが確保できず、蓋を起立させて開くことができなかった。また、蓋を開く時に大きな力でペダルを踏み込まなければならないという欠点があった。
【０００５】
また、他の問題点として、蓋と容器本体がヒンジ（枢着部）を介して枢結され、蓋のヒンジ近傍には、ペダルと連動連結するためのリンク部材を引っ掛けるための鉤型の凹部が設けられていた。この為、容器本体から蓋を取り外すのに手間がかかり、容器本体にごみ袋を取付けるのが面倒で、使い勝手が悪かった。
【０００６】
そこで、本発明は、蓋を開いた時の高さ寸法が小さく、かつ、軽くペダルを踏むだけで蓋が開くごみ収納容器を提供することを目的とする。
【課題を解決するための手段】
【０００７】
本発明に係るごみ収納容器は、足踏みペダルを有する容器本体と、上記容器本体に嵌着される蓋枠と該蓋枠に枢着され上記足踏みペダルの操作によって開閉可能な折畳み副蓋とを有する蓋とを、備え、上記蓋枠は、内周面の左右両側縁に沿って、上記折畳み副蓋を案内するためのガイド溝を有し、該ガイド溝が側面視浅皿形状に形成され、上記ガイド溝の前端部近傍に、前方から後方に向うにつれて次第に下るよう傾斜する下傾状勾配部を有し、中間部に起伏のない底部が形成され、後端部近傍に前方から後方に向けて次第に上るよう傾斜する上傾状勾配部を有し、さらに、後端部には、上記折畳み副蓋を開いた状態で保持するための落穴部が形成され、上記折畳み副蓋は、枢結部を介して折畳み自在に連結された第１蓋体と第２蓋体を有し、該第１蓋体の前端部近傍に、上記ガイド溝に沿って移動自在に挿入されるよう左右両側方に突出するピン部を有し、上記ガイド溝は、上記折畳み副蓋が開き始めた直後に、上記下傾状勾配部に沿って上記ピン部を後方斜め下方向に案内して該下傾状勾配部を滑り降りるように走行させ、上記折畳み副蓋を開く際の始動負荷を軽減するように構成されているものである。
【０００８】
また、上記容器本体は、上記ペダルの操作によって上方へ突出引込自在の昇降部材を備え、かつ、上記折畳み副蓋は、上記蓋枠との枢着部近傍にて上記昇降部材による下方からの押上力を受ける下方開放状凹部を有しているものである。
【発明の効果】
【０００９】
本発明のごみ収納容器によれば、高さの限られた小さなスペースでも折畳み副蓋を開くことができ、かつ、折畳み副蓋を小さな力で開けることができる。折畳み副蓋をスムーズに開閉することができ、手がふさがっている時や手が濡れている時でも、足でペダルを操作して折畳み副蓋を容易に開閉できる。容器本体から蓋を簡単に取り外すことができ、ごみ袋の取付けが簡便に行える。
【図面の簡単な説明】
【００１０】
【図１】本発明の実施の一形態の折畳み副蓋が閉じた状態を示した断面側面図である。
【図２】本発明の実施の一形態の折畳み副蓋が開いた状態を示した断面側面図である。
【図３】折畳み副蓋の開閉を説明する断面側面図である。
【図４】折畳み副蓋の開閉を説明する断面側面図である。
【図５】折畳み副蓋の開閉を説明する断面側面図である。
【図６】折畳み副蓋の開閉を説明する断面側面図である。
【図７】折畳み副蓋の開閉を説明する断面側面図である。
【図８】蓋の取外しを説明する断面側面図である。
【図９】要部拡大断面側面図であり、（Ａ）は折畳み副蓋が閉じた状態の要部拡大断面側面図であり、（Ｂ）は折畳み副蓋が開いた状態の要部拡大断面側面図である。
【図１０】容器本体にごみ袋を取付ける時の説明図である。
【発明を実施するための形態】
【００１１】
以下、実施の形態を示す図面に基づき本発明を詳説する。
図１と図２に示すように、本発明のごみ収納容器は、上方開口状の容器本体１と、容器本体１に着脱自在に取付けられる蓋２とを、備えている。蓋２は、容器本体１の開口部１０の周縁に沿って嵌着される閉環状の蓋枠４と、蓋枠４に枢着された折畳み副蓋３とを有している。
【００１２】
容器本体１は、揺動自在の足踏みペダル７を下部に有し、ペダル７の足踏み（揺動）操作によって上端部６ａが上方へ突出引込自在の昇降部材６を備えている。ペダル７は、前端部７ａに足踏み部１４が形成され、後端部７ｂに設けた孔部１３に昇降部材６の下端部６ｂが連結されている。昇降部材６は、閉環状に形成されたワイヤーから成り、容器本体１の後壁面１５に凹設された上下方向溝部１５ａに上下方向スライド自在に収納されている。容器本体１は、下部の後壁面１５寄りにキャスター１６を有し、底部の下面１ｂにエラストマーから成る滑り止め部材１７が付設されている。キャスター１６の外周面にエラストマーを被覆形成するも好ましい。なお、容器本体１は、ペダル７の前端部７ａが前方へ突出しないように配設され、かつ、キャスター１６が後壁面１５から突出しないように配設されている。よって、輸送時には、複数個の容器本体１を重ね合わせて（スタッキング）運ぶことができ、輸送コストを低減できる利点がある。
【００１３】
蓋２は、蓋枠４の後端部４ｂに枢着部９を介して折畳み副蓋３が揺動自在に取付けられている。折畳み副蓋３は、第１蓋体２１と第２蓋体２２を有し、第１蓋体２１の後端部２１ｂと第２蓋体２２の前端部２２ａが枢結部２０を介して折畳み自在に連結されている。枢結部２０には、第１蓋体２１と第２蓋体２２を相互に展開する方向（閉蓋方向）に常時弾発付勢する弾発部材２３が取着されている。
第１蓋体２１には、前端部２１ａ近傍に左右両側方に突出するピン部２４，２４が形成されている。第２蓋体２２には、後端部２２ｂ近傍に左右両側方に突出する軸部２５，２５が設けられ、蓋枠４の後端部４ｂに軸部２５，２５を差込可能な軸受凹部が形成されている。なお、折畳み副蓋３は、第１蓋体２１の長さ寸法Ｌ1が第２蓋体２２の長さ寸法Ｌ2より大きくなるように形成され、折畳み副蓋３を折り畳んだ時の高さ寸法Ｈ（図２参照）は、（第１蓋体２１の長さ寸法Ｌ1と第２蓋体２２の長さ寸法Ｌ2を合わせた）折畳み副蓋３の全長の１／２倍より小さくなるよう設定されている。
【００１４】
蓋枠４は、内周面の左右両側縁２６に沿って、折畳み副蓋３を案内するためのガイド溝５が凹設されている。
ガイド溝５は、側面視浅皿形状に形成され、前方から後方に向うにつれて次第に下るよう傾斜する勾配部５ａを前端部近傍に有し、中間部に起伏のない底部２７が形成され、後端部近傍に（前方から後方に向けて）次第に上るよう傾斜する勾配部５ｂが形成され、さらに、後端部には、折畳み副蓋３を開いた状態で保持するための落穴部（トラップ）２８が形成されている。ガイド溝５には、折畳み副蓋３の第１蓋体２１に形成されたピン部２４，２４が移動自在に挿入されている。即ち、折畳み副蓋３は、第１蓋体２１の前端部２１ａ近傍に設けたピン部２４，２４が、ガイド溝５に沿って案内される。ガイド溝５は、折畳み副蓋３の開く際の始動時に、ピン部２４，２４が前端部近傍の勾配部５ａを滑り降りることで、折畳み副蓋３の始動負荷を軽減するように構成されている。
【００１５】
蓋枠４は、容器本体１の開口部１０の周縁に外嵌状に嵌込まれる垂下壁部４０を備え、垂下壁部４０の前端縁４０ａには、内方突出状の小突起４１が形成され、かつ、後端縁４０ｂには、係止用爪部４２が設けられている。容器本体１は、開口部１０の周縁前部に小突起４１に対応する小凹部が形成され、かつ、周縁後部に爪部４２が嵌着可能な係止凹部１８が形成されている。
【００１６】
折畳み副蓋３は、蓋枠４との枢着部９近傍にて昇降部材６による下方からの押上力Ｆを受ける下方開放状凹部８を有している。
図９（Ａ）に示すように、第２蓋体２２は、枢着部９より前方であって後端部２２ｂ寄りの位置に、下端面に凹部８を有する受台部３０が下向きに突設されている。ペダル７を踏むことで昇降部材６が押し上げられると、昇降部材６の上端部６ａが下方からの押上力Ｆをもって凹部８を突き上げて、第２蓋体２２が枢着部９を中心に上方へ揺動すると共に、第１蓋体２１が枢結部２０にて（弾発部材２３の弾発力に抗して）折れ曲がり、折畳み副蓋３が折り畳まれるように構成されている。なお、蓋２は、ペダル７を踏んだ時に押上力Ｆによって浮き上がらないように、蓋枠４の後端部４ｂに設けた爪部４２を、容器本体１の係止凹部１８に引っ掛けている。
【００１７】
上述した本発明のごみ収納容器の使用方法（作用）について説明する。
図３に示すように、折畳み副蓋３が閉じた状態にあるとき、ペダル７を足で踏んで昇降部材６を押し上げると、昇降部材６の上端部６ａが折畳み副蓋３の枢着部９近傍の凹部８を突き上げる。
図４に示すように、折畳み副蓋３は、昇降部材６の下方からの押上力Ｆによって、第２蓋体２２が枢着部９を中心として、図中矢印Ｒ0にて示すように、上方へ揺動すると共に、第１蓋体２１が枢結部２０を中心として、図中矢印Ｒ1にて示すように、下方に折れ曲がる。この際、第１蓋体２１は、前端部２１ａのピン部２４がガイド溝５に案内され、折畳み副蓋３が開き始めた直後には、ピン部２４がガイド溝５の勾配部５ａを滑り降りるように走行する。即ち、折畳み副蓋３は、第２蓋体２２の揺動に伴って枢結部２０が上方へ移動することで、第１蓋体２１の後端部２１ｂが引き上げられ、これと同時に、第１蓋体２１の前端部２１ａがガイド溝５の勾配部５ａに沿って下降する。つまり、折畳み副蓋３を開き始める際には、昇降部材６が押上力Ｆによって第２蓋体２２を突き上げるのと同時に、第１蓋体２１のピン部２４がガイド溝５の勾配部５ａを滑り降りて、第１蓋体２１の自重によって回転モーメントＭが発生し、回転モーメントＭによって枢結部２０が持ち上げられる。従って、折畳み副蓋３の開く際の始動負荷を軽減して、軽くペダル７を踏むだけで折畳み副蓋３を開くことができる。
【００１８】
次に、図５に示すように、さらにペダル７を踏み込み、昇降部材６の下方からの押上力Ｆによって、第１蓋体２１と第２蓋体２２を相互に接近させて折畳み副蓋３を折り畳む。折畳み副蓋３は、第１蓋体２１がガイド溝５の勾配部５ａを滑り降りた勢いを利用し、ピン部２４がガイド溝５に案内されて底部２７上を走行し、さらに後端部近傍の勾配部５ｂを上り、ピン部２４が落穴部２８の上まで来たところでガイド溝５の後端縁に当接して止まる。この際、蓋２は、蓋枠４の後端部４ｂに設けた爪部４２を、容器本体１の係止凹部１８に引っ掛けて係止し、折畳み副蓋３を突き上げる昇降部材６の押上力Ｆによって蓋２が浮き上がることなく、容器本体１に保持される。
【００１９】
図６に示すように、ペダル７から足を離して昇降部材６の押上力Ｆを解除すると、折畳み副蓋３のピン部２４が、ガイド溝５の後端部に当った反動で落穴部２８に落ちて、折畳み副蓋３が開いた状態を維持する。第１蓋体２１の前端部２１ａのピン部２４が落穴部２８に引っ掛かることで、折畳み副蓋３が開いた状態で確実に係止され、ペダル７から足を外しても、折畳み副蓋３は不意に閉じてしまうことなく開いたまま保持される。
次に、図７に示すように、再びペダル７を足で踏んで昇降部材６を押し上げると、折畳み副蓋３の枢着部９近傍の凹部８を昇降部材６の上端部６ａが突き上げて、ピン部２４が落穴部２８の上方に抜けて、弾発部材２３の弾発力によって折畳み副蓋３が閉じ始める。この際、ピン部２４が落穴部２８から離脱した直後に勾配部５ｂを滑り降りるように走行し、折畳み副蓋３の自重により、折畳み副蓋３を閉じる方向の力が付加されて閉始動する。即ち、折畳み副蓋３の係止状態を解除すれば、自動的に折畳み副蓋３が閉じ始める。
【００２０】
図８に示すように、容器本体１から蓋２を取り外す際は、蓋枠４の前端部４ａを持ち上げて、蓋枠４の後端部４ｂの爪部４２を支点として蓋２全体を上方に揺動させる。次に、蓋２を斜め後方に移動させ、容器本体１の係止凹部１８と爪部４２との係止状態を解除して、蓋２を容器本体１から取り外す。蓋２は、容器本体１に取り付けられた状態で、昇降部材６の下方からの押上力Ｆを、折畳み副蓋３の枢着部９近傍の凹部８に受けても、蓋枠４の後端部４ｂの爪部４２が容器本体１の係止凹部１８に係止して、浮き上がることなく保持され、なおかつ、蓋２の蓋枠４の前端部４ａの小突起４１と容器本体１の開口部１０の周縁前部に設けた小凹部との係合状態は容易に解除可能であり、蓋２の前側を浮かせてから係止凹部１８と爪部４２との係止状態を解除すれば、容器本体１から蓋２を完全に取り外すことが可能となる。
【００２１】
図９（Ａ）に示すように、折畳み副蓋３の凹部８は、下方開放状である為、容器本体１から蓋２を取り外す際に、昇降部材６に引っ掛かることなく容易に離脱させることができる。また、凹部８は、前方側のテーパー面８ａが後方側のテーパー面８ｂよりも長くなるように形成され、折畳み副蓋３が開かれて凹部８が斜めに傾いた状態となった場合でも、昇降部材６の下方からの押上力Ｆを確実に受けるよう構成されている。
【００２２】
図８と図１０に示すように、容器本体１は、開口部１０の内周縁に沿ってごみ袋を伸展するための一対の門型揺動部材１１，１１が取着されている。揺動部材１１，１１は、前後の２箇所で容器本体１に枢結され、枢結部近傍には、ごみ袋を引っ掛けて留めるためのＬ字状突片１２，１２が形成されている。
図１０に示すように、蓋２を容器本体１から取り外した状態で、２点鎖線のように揺動部材１１，１１を上方に揺動させ、ごみ袋をＬ字状突片１２，１２の隙間に引っ掛けて、次に、揺動部材１１，１１を下方に揺動させるだけで、ごみ袋の余分な撓みが張って、開口部１０の内周縁に沿ってごみ袋を迅速に装着することができる。
【００２３】
なお、本発明は、設計変更可能であって、例えば、容器本体１の内部空間にスペアのごみ袋を収納するスペアごみ袋入れ部を形成しても良い（図示省略）。また、容器本体１と蓋２の形状やサイズは、本発明の要旨を逸脱しない限り、自由に変更できるものとする。
【００２４】
以上のように、本発明に係るごみ収納容器は、足踏みペダル７を有する容器本体１と、容器本体１に嵌着される蓋枠４と蓋枠４に枢着され足踏みペダル７の操作によって開閉可能な折畳み副蓋３とを有する蓋２とを、備え、蓋枠４に、折畳み副蓋３を案内するためのガイド溝５が設けられ、折畳み副蓋３を開く際の始動負荷を軽減する勾配部５ａが、ガイド溝５の前端部近傍に形成されているので、高さの限られた小さなスペースでも折畳み副蓋３を開くことができ、かつ、折畳み副蓋３を小さな力で開けることができる。折畳み副蓋３をスムーズに開閉することができ、手がふさがっている時や手が濡れている時でも、足でペダル７を操作して折畳み副蓋３を容易に開閉できる。容器本体１から蓋２を簡単に取り外すことができ、ごみ袋が簡便に取付けできる。
【００２５】
また、容器本体１は、ペダル７の操作によって上方へ突出引込自在の昇降部材６を備え、かつ、折畳み副蓋３は、蓋枠４との枢着部９近傍にて昇降部材６による下方からの押上力Ｆを受ける下方開放状凹部８を有しているので、昇降部材６の下方からの押上力Ｆを確実に受け、かつ、容器本体１から蓋２を取り外す際に、凹部８が昇降部材６に引っ掛かることなく容易に離脱させることができる。
【符号の説明】
【００２６】
１  容器本体
２  蓋
３  折畳み副蓋
４  蓋枠
５  ガイド溝
５ａ  下傾状勾配部
５ｂ  上傾状勾配部
６  昇降部材
７  足踏みペダル
８  凹部
９  枢着部
２０  枢結部
２１  第１蓋体
２１ａ  前端部
２２  第２蓋体
２４  ピン部
２６  左右両側縁
２７  底部
２８  落穴部
Ｆ  押上力
【要約】
【課題】蓋を開いた時の高さ寸法が小さく、かつ、軽くペダルを踏むだけで蓋が開くごみ収納容器を提供する。
【解決手段】足踏みペダル７を有する容器本体１と、容器本体１に嵌着される蓋枠４と蓋枠４に枢着され足踏みペダル７の操作によって開閉可能な折畳み副蓋３とを有する蓋２とを、備え、蓋枠４に、折畳み副蓋３を案内するためのガイド溝５が設けられ、折畳み副蓋３を開く際の始動負荷を軽減する勾配部５ａが、ガイド溝５の前端部近傍に形成されている。
【選択図】図１【図１】
0005923198.tif 000002
【図２】
0005923198.tif 000003
【図３】
0005923198.tif 000004
【図４】
0005923198.tif 000005
【図５】
0005923198.tif 000006
【図６】
0005923198.tif 000007
【図７】
0005923198.tif 000008
【図８】
0005923198.tif 000009
【図９】
0005923198.tif 000010
【図１０】
0005923198.tif 000011